【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
ユーザ機器(UE)において動作可能なワイヤレス通信の方法であって、前記方法が、
無線アクセスネットワーク(RAN)ノードとの接続を要求するように構成された接続要求メッセージを送信するステップであって、前記接続要求メッセージが、前記UEのサービスプロファイルを示すように構成された情報を備え、前記サービスプロファイルは、サービングノードによりサポートされることを要求される1つまたは複数のサービスを示すように構成される、ステップと、
前記UEの前記サービスプロファイルに少なくとも部分的に基づいて選択されたサービングノードを示すように構成された情報を備える接続受付メッセージを受信するステップと、
を含む、方法。
【請求項２】
前記サービングノードは、コアネットワーク内の複数のサービングノードのうち１つであり、前記複数のサービングノードのうちサービングノードのサブセットのみが前記サービスプロファイルで示された前記1つまたは複数のサービスに対するサポートを有し、前記サービングノードは、前記コアネットワーク内の前記複数のサービングノードから、前記サービスプロフィール内で示された前記1つまたは複数のサービスに対するサポートに基づいて選択される、請求項1に記載の方法。
【請求項３】
前記UEの前記サービスプロファイルを前記接続要求メッセージの中に含めるべきかどうかを決定するステップをさらに備える、請求項1に記載の方法。
【請求項４】
前記サービスプロファイルを含めるべきかどうかを決定する前記ステップは、UEがネットワークにおいて未だ登録されていない場合、前記UEの前記サービスプロファイルを前記接続要求メッセージの中に含めるべきと決定するステップを備える、請求項3に記載の方法。
【請求項５】
前記サービスプロファイルを含めるべきかどうかを決定する前記ステップは、前記UEがネットワークにおける接続を最後に確立してから前記サービスプロファイルが変化している場合、前記UEの前記サービスプロファイルを前記接続要求メッセージの中に含めるべきと決定するステップを備える、請求項3に記載の方法。
【請求項６】
前記UEの前記サービスプロファイルが、前記UEにおいて動作中の少なくとも1つのサービスを備え、サービングノードが、前記UEにおいて動作中の前記少なくとも1つのサービスに少なくとも部分的に基づいて選択される、請求項1に記載の方法。
【請求項７】
前記UEの前記サービスプロファイルにおける変化を示す情報を前記RANノードへ送信するステップと、
前記UEの前記変化したサービスプロファイルによる前記選択されるサービングノードの変更を示す情報を受信するステップと
をさらに備える、請求項6に記載の方法。
【請求項８】
前記UEの前記サービスプロファイルを示すように構成された情報を備えるトラッキングエリア更新(TAU)要求メッセージを送信するステップと、
前記UEの前記サービスプロファイルに少なくとも部分的に基づいて選択されたサービングノードを示す情報を備えるTAU要求受付メッセージを受信するステップと
をさらに備える、請求項1に記載の方法。
【請求項９】
ブロードキャストメッセージを前記RANノードから受信するステップであって、前記ブロードキャストメッセージが、前記RANノードに関連する少なくとも1つのサービングノードが前記UEの前記サービスプロファイルをサポートするかどうかを示す情報を備える、ステップと、
前記受信されたブロードキャストメッセージに従って、前記RANノードとの前記初期接続を確立すべきと決定するステップと
をさらに備える、請求項1に記載の方法。
【請求項１０】
前記UEにおいてメモリに記憶されているRANノードのリストに従って前記UEの前記サービスプロファイルをサポートするための、ネットワーク識別子、トラッキングエリアコード、セル識別子(セルID)、または前記UEに知られているサービスセット識別子(SSID)のうちの少なくとも1つに前記RANノードが関連するという決定に従って、前記RANノードとの前記初期接続を確立すべきと決定するステップ
をさらに備える、請求項1に記載の方法。
【請求項１１】
第2のRANノードとの第2の接続を要求するように構成された第2の接続要求メッセージを送信するステップであって、前記第2に接続要求メッセージは、前記UEの前記サービスプロファイルと異なる前記UEの第2のサービスプロファイルを示すように構成された情報を含む、ステップをさらに含む、請求項1に記載の方法。
【請求項１２】
前記サービングノードと異なり、前記UEの前記第2のサービスプロファイルに少なくとも部分的に基づいて選択された、第2のサービングノードを示すように構成された情報を含む第2の接続受付メッセージを受信するステップをさらに含む、請求項11に記載の方法。
【請求項１３】
コンピュータ実行可能コードを備えるコンピュータ可読記憶媒体であって、前記コンピュータ実行可能コードが、
無線アクセスネットワーク(RAN)ノードとの接続を要求するように構成された接続要求メッセージを送信するステップであって、前記接続要求メッセージが、前記UEのサービスプロファイルを示すように構成された情報を備え、前記サービスプロファイルは、サービングノードによりサポートされることを要求される1つまたは複数のサービスを示すように構成される、ステップと、
前記UEの前記サービスプロファイルに少なくとも部分的に基づいて選択されたサービングノードを示すように構成された情報を備える接続受付メッセージを受信するステップと、
に対して構成される、コンピュータ可読記憶媒体。
【請求項１４】
無線アクセスネットワーク(RAN)ノードにおいて動作可能なワイヤレス通信の方法であって、
接続要求メッセージをユーザ機器(UE)から受信するステップであって、前記接続要求メッセージが、前記UEのサービスプロファイルを示すように構成された情報を備える、ステップと、
前記UEの前記サービスプロファイルに少なくとも部分的に基づいて、前記UEのためのサービングノードを選択するステップであって、前記サービスプロファイルは、前記UEで動作中の1つまたは複数のサービスを示すように構成される、ステップと、
前記選択されたサービングノードに前記接続要求メッセージを転送するステップと
を備える方法。
【請求項１５】
前記RANノードに関連するサービングノードのセットの、サポートされるサービスプロファイルを示す情報を備えるメッセージをブロードキャストするステップ
をさらに備える、請求項14に記載の方法。
【請求項１６】
前記UEの前記サービスプロファイルが、前記UEにおいて動作中の少なくとも1つのサービスを備える、請求項14に記載の方法。
【請求項１７】
前記UEの前記サービスプロファイルにおける変化を示す情報を前記UEから受信するステップと、
前記選択されたサービングノードが前記UEの前記変化したサービスプロファイルをサポートしないという決定に従って、前記UEの前記変化したサービスプロファイルに少なくとも部分的に基づいて、前記UEのための新たなサービングノードを選択するステップと
をさらに備える、請求項14に記載の方法。
【請求項１８】
前記選択されたサービングノードが前記UEの前記変化したサービスプロファイルをサポートしないという前記決定が、前記サービングノードによってサポートされるサービスプロファイルの構成に基づき、サービスプロファイルの前記構成が、前記サービングノードへのインターフェースの確立の一部として、または運用および保守(OAM)構成メッセージングから受信される、請求項17に記載の方法。
【請求項１９】
前記UEへの前記新たなサービングノード、または前記選択されたサービングノードとしての表示を送信するステップをさらに備える、請求項17に記載の方法。
【請求項２０】
前記UEの前記サービスプロファイルが、前記UEを識別する識別子を備える、請求項14に記載の方法。
【請求項２１】
前記UEのための前記サービングノードを選択する前記ステップが、
前記UEの前記サービスプロファイルを有するUEに帰属することができる、1つまたは複数のサービングノードのセットを決定するステップと、
1つまたは複数のサービングノードの前記セットの各サービングノードから受信される容量情報要素に従って、1つまたは複数のサービングノードの前記セットの中から前記サービングノードを選択するステップと
を備える、請求項14に記載の方法。
【請求項２２】
前記選択されたサービングノードから情報を受信するステップであって、前記情報が、前記選択されたサービングノードによってサポートされるサービスを示すように構成される、ステップと、
前記情報を前記RANノードのメモリに記憶するステップと
をさらに備える、請求項14に記載の方法。
【請求項２３】
前記選択されたサービングノードからの前記情報が、
前記RANノードと前記選択されたサービングノードとの間のインターフェースを確立するための確立シグナリングの一部を備えるシグナリング、または
前記RANノードと前記選択されたサービングノードとの間の運用および保守(OAM)シグナリング
のうちの少なくとも1つとして受信される、請求項22に記載の方法。
【請求項２４】
ワイヤレス通信のために構成されたユーザ機器(UE)であって、
トランシーバと、
メモリと、
前記トランシーバおよび前記メモリに通信可能に結合された少なくとも1つのプロセッサとを備え、前記少なくとも1つのプロセッサが、
前記トランシーバを利用して、
無線アクセスネットワーク(RAN)ノードとの接続を要求するように構成された接続要求メッセージを送信するステップであって、前記接続要求メッセージが、前記UEのサービスプロファイルを示すように構成された情報を備え、前記サービスプロファイルは、サービングノードによりサポートされることを要求される1つまたは複数のサービスを示すように構成される、ステップと、
前記UEの前記サービスプロファイルに少なくとも部分的に基づいて選択されたサービングノードを示すように構成された情報を備える接続受付メッセージを受信するステップと、
を実施するように構成される、少なくとも1つのプロセッサと、
を備える、ユーザ機器。
【請求項２５】
ワイヤレス通信のために構成された無線アクセスネットワーク(RAN)ノードであって、
トランシーバと、
メモリと、
前記トランシーバおよび前記メモリに通信可能に結合された少なくとも1つのプロセッサとを備え、前記少なくとも1つのプロセッサが、
接続要求メッセージをユーザ機器(UE)から受信するために、前記トランシーバを利用することであって、前記接続要求メッセージが、前記UEのサービスプロファイルを示すように構成された情報を備え、前記サービスプロファイルは、前記UEで動作中の1つまたは複数のサービスを示すように構成される、ことと、
前記UEの前記サービスプロファイルに少なくとも部分的に基づいて、前記UEのためのサービングノードを選択することと、
前記選択されたサービングノードに前記接続要求メッセージを転送するために、前記トランシーバを利用することと
を行うように構成される、無線アクセスネットワーク(RAN)ノード。
【請求項２６】
コンピュータ実行可能コードを備えるコンピュータ可読記憶媒体であって、前記コンピュータ実行可能コードが、
接続要求メッセージをユーザ機器(UE)から受信することであって、前記接続要求メッセージが、前記UEのサービスプロファイルを示すように構成された情報を備えることと、
前記UEの前記サービスプロファイルに少なくとも部分的に基づいて、前記UEのためのサービングノードを選択することであって、前記サービスプロファイルは、前記UEで動作中の1つまたは複数のサービスを示すように構成される、ことと、
前記選択されたサービングノードに前記接続要求メッセージを転送することと
のために構成される、コンピュータ可読記憶媒体。
【請求項２７】
サービングノードにおいて動作可能なワイヤレス通信の方法であって、
接続要求メッセージを無線アクセスネットワーク(RAN)ノードから受信するステップであって、前記接続要求メッセージが、ユーザ機器(UE)との通信を確立するように構成されるとともに前記UEに対応するサービスプロファイルを備える、ステップと、
前記UE用の識別子を決定するステップであって、前記識別子が、前記UEに対応する前記サービスプロファイルの関数であり、前記サービスプロファイルは、前記サービングノードによりサポートされることを要求される1つまたは複数のサービスを示すように構成される、ステップと、
接続受付メッセージを前記RANノードへ送信するステップであって、前記接続受付メッセージが、前記UE用の前記識別子を備える、ステップと
を備える方法。
【請求項２８】
前記UEに対応する前記サービスプロファイルへの更新を示すメッセージを受信するステップと、
前記UEがもはや前記サービングノードによってサポートされないことを、前記受信されたメッセージが示すと決定するステップと、
前記UEに対応する前記更新済みのサービスプロファイルをサポートする別のサービングノードへ情報を送信するステップと
をさらに備える、請求項27に記載の方法。
【請求項２９】
別のサービングノードを前記UEに示すための情報を、前記UEのための前記RANノードへ送信するステップをさらに備える、請求項28に記載の方法。
【請求項３０】
前記RANノードと前記サービングノードとの間のインターフェースを確立するための要求を前記RANノードから受信するステップと、
前記要求への応答を前記RANノードへ送信するステップであって、前記応答が、前記サービングノードによってサポートされる1つまたは複数のサービスプロファイルに関係する情報を備える、ステップと
をさらに備える、請求項27に記載の方法。
【請求項３１】
前記サービングノードによってサポートされる前記1つまたは複数のサービスプロファイルが、前記サービングノードによってサポートされる1つまたは複数のUEサービスを備えること、または
前記サービングノードによってサポートされる1つまたは複数のサービスプロファイルに関係する前記情報が、前記サービングノードによってサポートされる1つまたは複数のデバイス識別子プレフィックスを備えること
のうちの少なくとも1つである、請求項30に記載の方法。
【請求項３２】
ワイヤレス通信のために構成されたサービングノードであって、
トランシーバと、
メモリと、
前記トランシーバおよび前記メモリに通信可能に結合された少なくとも1つのプロセッサとを備え、前記少なくとも1つのプロセッサが、
接続要求メッセージを無線アクセスネットワーク(RAN)ノードから受信するために、前記トランシーバを利用することであって、前記接続要求メッセージが、ユーザ機器(UE)との通信を確立するように構成されるとともに前記UEに対応するサービスプロファイルを備え、前記サービスプロファイルは、前記UEで動作中の1つまたは複数のサービスを示すように構成されることと、
前記UE用の識別子を決定することであって、前記識別子が、前記UEに対応する前記サービスプロファイルの関数であることと、
接続受付メッセージを前記RANノードへ送信するために、前記トランシーバを利用することであって、前記接続受付メッセージが、前記UE用の前記識別子を備えることと
を行うように構成される、サービングノード。
【請求項３３】
コンピュータ実行可能コードを備えるコンピュータ可読記憶媒体であって、前記コンピュータ実行可能コードが、
接続要求メッセージを無線アクセスネットワーク(RAN)ノードから受信することであって、前記接続要求メッセージが、ユーザ機器(UE)との通信を確立するように構成されるとともに前記UEに対応するサービスプロファイルを備えることと、
前記UE用の識別子を決定することであって、前記識別子が、前記UEに対応する前記サービスプロファイルの関数であり、前記サービスプロファイルは、前記UEで動作中の1つまたは複数のサービスを示すように構成されることと、
接続受付メッセージを前記RANノードへ送信することであって、前記接続受付メッセージが、前記UE用の前記識別子を備えることと
のために構成される、コンピュータ可読記憶媒体。